(57)【要約】      （修正有）【課題】複雑なリンク機構なしにカウンター機能を実現する。【解決手段】スプリングカバー１０５内には、スライド枠１０１を対向面１０１ａが上面１０２ａと離隔した状態となるよう付勢するスプリングが収納されている。握り部１０６が矢印α１方向に押圧されると、スライド枠１０１が矢印α１方向に移動を開始する。本体枠１０２に対してスライド枠１０１の稼働可能ストロークのうち、半分以上のストローク分を超えると、スライド枠１０１に固定された本体枠レバー１３３がカウンターレバー１３１と当接する。さらに、握り部１０６が押圧されると、スライド枠１０１が矢印α１方向に移動し、カウンターレバー１３１が回転軸１３２を所定角度回転させる。これにより、カウンタ１１０の累計計測数が１つ増加する。【選択図】図１
2017114023.tif 000002
【特許請求の範囲】
【請求項１】
固定部材、
前記固定部材に対して離隔した状態である第１状態と前記固定部材に対して一番近づいた状態である第２状態間をスライド自在に設けられたスライド部材、
前記スライド部材を第１状態となるよう付勢する付勢部材、
前記スライド部材に取り付けれた版面であって、前記スライド部材が前記第２状態となると、被印刷面に接する印刷面を有するスタンプ機構部、
前記第２状態となった回数を計測する計測機構部、
を備えたカウンタ連動式スタンプ装置であって、
前記計測機構部は、
前記固定部材に取り付けられ、回転軸が所定角度回転することにより、累計計測数が増加する計測部、
前記回転軸に取り付けられた第１係合部、
前記スライド部材に取り付けられ、前記第１係合部と係合して前記回転軸を回転させる第２係合部、
を備えており、
前記第１係合部と前記第２係合部は、前記第１状態では非接触状態であること、
を特徴とするカウンタ連動式スタンプ装置。 
【請求項２】
請求項１のカウンタ連動式スタンプ装置において、
前記スタンプ機構部は、前記第１状態では印刷面が隠れた状態であり、前記スライド部材がスライドすることにより、前記第２状態となる前に反転すること、
を特徴とするカウンタ連動式スタンプ装置。
【請求項３】
請求項１または請求項２のカウンタ連動式スタンプ装置において、
前記第１状態では非接触状態である前記第１係合部と前記第２係合部は、前記スライド部材が半分以上スライドした時に、接触開始すること、
こと、
を特徴とするカウンタ連動式スタンプ装置。
【請求項４】
請求項１〜３のいずれかのカウンタ連動式スタンプ装置において、
円弧状のカム面に対して前記被印刷面を保持する回転軸が回転することにより、前記印刷面が反転すること、
を特徴とするカウンタ連動式スタンプ装置。
【発明の詳細な説明】
【技術分野】
【０００１】
本発明はカウンタ連動式スタンプ装置に関し、特に簡易な構造でのカウンタ数の計測に関する。
【背景技術】
【０００２】
特許文献１には、リンク機構を使ったカウンタ連動式スタンプ装置が開示されている。
【先行技術文献】
【特許文献】
【０００３】
【特許文献１】特開2003-211804号公報
【発明の概要】
【発明が解決しようとする課題】
【０００４】
しかしながら、特許文献1においては、カウンタを作動させるのに、リンク機構を採用しているので、使用により摩耗が生じ、その結果カウンタの動作が不正確となる。また、長ストロークのスタンパーに対応するには、揺動させる中心軸、長穴が必要となり、その分、摩耗も生じやすい。
【０００５】
本発明は、上記課題を解決し、簡易な構造でカウンタ数の計測が確実にできるカウンタ連動式スタンプ装置を提供することを目的とする。
【課題を解決するための手段】
【０００６】
（１）本発明にかかるカウンタ連動式スタンプ装置は、固定部材、前記固定部材に対して離隔した状態である第１状態と前記固定部材に対して一番近づいた状態である第２状態間をスライド自在に設けられたスライド部材、前記スライド部材を第１状態となるよう付勢する付勢部材、前記スライド部材に取り付けれた版面であって、前記スライド部材が前記第２状態となると、被印刷面に接する印刷面を有するスタンプ機構部、前記第２状態となった回数を計測する計測機構部、を備えたカウンタ連動式スタンプ装置であって、前記計測機構部は、前記固定部材に取り付けられ、回転軸が所定角度回転することにより、累計計測数が増加する計測部、前記回転軸に取り付けられた第１係合部、前記スライド部材に取り付けられ、前記第１係合部と係合して前記回転軸を回転させる第２係合部を備えており、前記第１係合部と前記第２係合部は、前記第１状態では非接触状態である。このように、前記第１状態では、前記第１係合部と前記第２係合部は、非接触状態であり、前記スライド部材がある程度ストロークした後、接触状態となり、前記回転軸を回転させ、累計計測数が計測される。したがって、長ストロークのスタンプ装置への対応も可能となる。また複雑なリンク機構がないので、使用により摩耗が生じにくい。
【０００７】
（２）本発明にかかるカウンタ連動式スタンプ装置においては、前記スタンプ機構部は、前記第１状態では印刷面が隠れた状態であり、前記スライド部材がスライドすることにより、前記第２状態となる前に反転する。したがって、前記第１状態では版面を隠したカウンタ連動式スタンプ装置において、使用により摩耗が生じにくい。
【０００８】
（３）本発明にかかるカウンタ連動式スタンプ装置においては、前記第１状態では非接触状態である前記第１係合部と前記第２係合部は、前記スライド部材が半分以上スライドした時に、接触開始する。したがって、長ストロークのスタンプ装置でも、使用により摩耗が生じにくい。
【０００９】
（４）本発明にかかるカウンタ連動式スタンプ装置においては、円弧状のカム面に対して前記被印刷面を保持する回転軸が回転することにより、前記印刷面が反転する。したがって、円弧状のカム面に対して印刷面の回転軸が回転する型のスタンプ装置であっても、前記印刷面が反転使用により摩耗が生じにくい。
【００１０】
本明細書において「離隔」とは図１に示すように、スライド部材の一部が固定部材とスライド自在に接触している状態を含む。また、「計測機構部」とはカウンタのみではなく、計数動作を行う部材を含む概念である。
【図面の簡単な説明】
【００１１】
【図１】カウンター連動式スタンパ１の概要を示す図である。図１Ａは正面図、図１Ｂは右側面図である。
【図２】カウンター連動式スタンパ１の印刷面反転動作を説明する図である。
【図３】カウンター連動式スタンパ１の印刷面反転動作を説明する図である。
【図４】カウンター連動式スタンパ１の印刷面反転動作を実現する機構を説明する図である。
【図５】カウンター連動式スタンパ１の印刷面反転動作を実現する機構を説明する図である。
【図６】カウンター連動式スタンパ１におけるカウンタ連動動作を説明する図である。
【発明を実施するための形態】
【００１２】
図１に、本発明にかかるカウンタ連動式スタンプ装置であるカウンター連動式スタンパ１を示す。カウンター連動式スタンパ１は、図１Ａに示すように、上面１０２ａを有するコの字形状の本体枠１０２、本体枠１０２に対してスライド自在なスライド枠１０１、本体枠１０２に固定されたカウンタ１１０、スライド枠１０１の上面に固定された握り部１０６を備えており、握り部１０６を矢印α１方向に押圧することにより、後述するように、対向面１０１ａが上面１０２ａが近づいた状態となる（第２状態）。スプリングカバー１０５内には、スライド枠１０１を対向面１０１ａが上面１０２ａと離隔した状態（第１状態）となるよう付勢するスプリングが収納されている（図示せず）。
【００１３】
本体枠１０２の上面１０２ａの内側には、印面を収納部する印面収納部１５１が設けられている。この印面はスライド枠１０１に取り付けられており、スライド枠１０１が矢印α１方向に移動すると、被印刷面に接し、印刷を行う。
【００１４】
カウンタ１１０は、図１Ｂに示すように、カウンタレバー１３１が取り付けられた回転軸１３２を有しており、回転軸１３２が所定角度以上回転すると、累積回数を表示部１１１に表示する。つまみ１３４をカウンター１１０のリセットつまみである。
【００１５】
スライド枠１０１は、ガイド溝１４６ａ，ｂに沿ってα１方向にスライドする。スライド枠１０１の側面には本体枠側レバー１３３が突出するようにねじ止めされている。
【００１６】
カウンタレバー１３１と本体枠側レバー１３３とは第１状態では、非接触状態である。スライド枠１０１のα１方向にスライドが進むと、本体枠側レバー１３３はカウンタレバー１３１と接触し、さらに、印面が被印刷面に接する状態（第２状態）になると、カウンタレバー１３１が水平となるまで押し下げる。これにより、カウンタ１１０の累積カウント数が１つ増加する。
【００１７】
上記スライド機構について説明する。図２Ａ，Ｂは図１Ｂにおける斜め上からみた斜視図である。本体枠１０２には左右にガイド溝１４６ａ，ｂが設けられており、スライド枠１０１はこのガイド溝１４６ａ，ｂに沿って、矢印α１方向に移動する。スライド枠１０１には案内溝１１４が矢印α１とは直行する方向に設けられている。また、本体枠１０２には、印面回転軸１１３の移動を案内する印面回転軸案内溝１４５が設けられている。
【００１８】
スライド枠１０１が矢印α１方向に移動して、印面回転軸１１３が印面回転軸案内溝１４５の半円上の部分に当たると、これに沿って、印面回転軸１１３が矢印β１方向に移動する。これにより、印面回転軸１１３は、図２Ｂに示すように、矢印γ１方向に回転する。これにより印面１２１が露出する。印面回転軸１１３が印面回転軸案内溝１４５の半円上の部分に当たって回転するメカニズムについては後述する。
【００１９】
さらに、スライド枠１０１が矢印α１方向に移動すると、図３Ａに示すように、印面回転軸１１３が矢印β１方向に移動し、印面回転軸１１３は矢印γ１方向に回転する。これにより印面１２１がさらに露出する。
【００２０】
この状態から、さらに、スライド枠１０１が矢印α１方向に移動すると、図３Ｂに示すように、印面回転軸１１３が印面回転軸案内溝１４５にそって、矢印β１方向とは逆方向に移動し、印面回転軸１１３はさらに、矢印γ１方向に回転する。
【００２１】
この状態から、さらに、スライド枠１０１が矢印α１方向に移動すると、印面回転軸１１３が印面回転軸案内溝１４５に沿って、矢印α１方向に移動し、印面１２１が被印刷面に接し、印刷が行われる(図示せず)。
【００２２】
つぎに、印面回転軸１１３が印面回転軸案内溝１４５に沿って移動することによる印面回転軸１１３の回転動作について説明する。図４Ａに図１とは上下反転した状態を示す。
【００２３】
本体枠１０２には、印面回転軸１１３の移動を案内する印面回転軸案内溝１４５が設けられている。印面回転軸案内溝１４５は緩い円弧状に加えて、図４Ａの上端には、ほぼ直線部を有する。これは反転した版面１２１を被印刷面に対向した状態で接触させるためである。
【００２４】
既に説明したようにスライド枠１０１は印面回転軸１１３が矢印α１と直交する方向に移動可能とする案内溝１１４を有する。また、印面回転軸１１３は図４Ｂに示すように、ガイド板１４７を備えている。ガイド板１４７の溝１４７ａは凸部１４９と係合している。スライド枠１０１が矢印α１方向に移動すると、印面回転軸１１３は印面回転軸案内溝１４５に沿って移動する。これに伴い、ガイド板１４７も矢印α１方向に移動する。
【００２５】
この状態からさらにスライド枠１０１が矢印α１方向に移動すると、印面回転軸１１３は印面回転軸案内溝１４５の円弧状の部分に当接し、移動方向が図５Ａに示すように、矢印β１方向に変更される。これによって、ガイド板１４７は溝１４７ａで係合しているので、矢印β１方向に移動できない。したがって、ガイド板１４７は、図５Ｂに示すように凸部１４９を中心に回転を開始する。その後、さらに、スライド枠１０１が矢印α１方向に移動するとさらに、印面回転軸１１３は印面回転軸案内溝１４５の円弧状の部分に当接して移動する。これによって、ガイド板１４７は凸部１４９を中心に回転する。その後、さらにスライド枠１０１が矢印α１方向に移動すると、印面回転軸１１３は印面回転軸案内溝１４５の直線状の部分に沿って移動する。これにより、ガイド板１４７で支持されている版面１２１が被印刷面に接するまで移動する。
【００２６】
つぎに、カウンタの計測について説明する。図１Ｂの状態では、本体枠レバー１３３はカウンターレバー１３１とは非当接状態である。この状態から、握り部１０６が押圧されると、スライド枠１０１が矢印α１方向に移動を開始する。本体枠１０２に対してスライド枠１０１の稼働可能ストロークのうち、半分以上のストローク分を超えると、スライド枠１０１に固定された本体枠レバー１３３がカウンターレバー１３１と当接する(図６Ａ参照)。この状態から、さらに、握り部１０６が押圧されると、スライド枠１０１が矢印α１方向に移動し。カウンターレバー１３１が回転軸１３２を所定角度回転させる。これにより、カウンタ１１０の累計計測数が１つ増加する。
【００２７】
本件のようなスライドストロークの長いカウンター連動式スタンパの場合、もし、リンク機構でこれを実現するとすると、長穴の開いた長いリンク機構が必要となる。これに対して、本件では、第１の状態および、この状態から、スライド枠１０１の稼働可能ストロークのうち、半分以上のストローク分を超えるまでは、本体枠レバー１３３はカウンターレバー１３１とは非当接状態である。そして、図６Ａに示すように、当接してから、必要なストローク分、スライド枠１０１がスライドすることより本体枠レバー１３３がカウンターレバー１３１を回転させ、回転軸１３２を所定角度回転させる。これにより、スライドストロークの長いカウンター連動式スタンパであっても簡易な構造で、カウンター機構を実現することができる。なお、スライドストロークの短いカウンター連動式スタンパにも適用可能である。
【００２８】
本実施形態においては、スライド部材がスライドすることにより版面が反転するスタンパについて説明したが、版面が反転しないスタンパーについても同様に適用することができる。また、スタンパの形状は本件のような矩形でなく、円形などであってもよい。
【符号の説明】
【００２９】
１・・・スタンパー
１０１・・・スライド枠
１０２・・・本体枠
１１０・・・カウンタ
１１３・・・印面回転軸
１１４  ・・・案内溝
１３１・・・カウンタレバー
１３２・・・カウンタ軸
１３３  ・・・本体枠側レバー
１４５  ・・・印面回転軸案内溝
１４６ａ・・・ガイド溝
１４６ｂ・・・ガイド溝
【図１】
2017114023.tif 000003
【図２】
2017114023.tif 000004
【図３】
2017114023.tif 000005
【図４】
2017114023.tif 000006
【図５】
2017114023.tif 000007
【図６】
2017114023.tif 000008